(57)【要約】  本発明は、搬送設備のセグメント（１）または、セグメント（１）用のストリップ（２）に関し、セグメント（１）に隣接するか、または隣接するセグメント（１）のストリップ（２）に面してセグメント（１）に面する少なくとも１つの端面（３，４）と、随意に、後側（１０）と、搬送方向（７）においてセグメント（１）の、またはストリップ（２）の上側（５）に延在する平行なリブ（６）を有する。リブ（６）の端部領域（８）は端面（３，４）の領域において斜切されている。
2019533626.tif 000002
【特許請求の範囲】
【請求項１】
搬送設備のセグメント（１）であって、前記セグメント（１）に隣接する１つのセグメント（１）に面する少なくとも１つの正面側（３，４）と、搬送方向（７）において前記セグメント（１）の上側（５）に通る互いに平行なリブ（６）を有し、前記正面側（３，４）の領域内の端部領域（８）において前記リブ（６）が斜切されていることを特徴とするセグメント。
【請求項２】
前記セグメント（１）が、搬送方向（７）で見た場合に凸湾した前方正面側（３）を有する、および／または搬送方向（７）で見た場合に凹湾した後方正面側（４）を有することを特徴とする請求項１に記載のセグメント。
【請求項３】
隣接するセグメント（１）上でストリップ（２）に面する正面側（３，４）を有し、後側（１０）と、搬送方向（７）において前記ストリップ（２）の上側（５）を通る互いに平行なリブ（６）を有し、前記正面側（３，４）の領域内の前記端部領域（８）の前記リブ（６）は斜切されていることを特徴とする搬送設備のセグメント（１）用のストリップ（２）。
【請求項４】
前記ストリップが、凸湾した正面側（３）を有する、または凹湾した正面側（４）を有することを特徴とする請求項３に記載のストリップ。
【請求項５】
前記ストリップ（２）が、凹湾または凸湾した後側（１０）を有することを特徴とする請求項３または４に記載のストリップ。
【請求項６】
前記端部領域（８）に隣接するリブ（６）が、実質的に長方形の断面（９）を有することを特徴とする請求項１乃至５いずれか一項に記載のセグメントまたはストリップ。
【請求項７】
前記リブ（６）が、隣接するリブ（６）に側方平面（１８）で面する側面（１２）と、上部平面（１７）内の上向きのカバー面（１１）と、前記端部領域（８）に配置され、いずれの場合にも１つの側方平面（１８）から遠ざかるように同じリブ（６）の他方の側方平面（１８）の方向に傾斜する、および／または正面側（３，４）から遠ざかるように同じリブ（６）の方向に傾斜する少なくとも２つの側方斜面（１４）からなることを特徴とする請求項１乃至６いずれか一項に記載のセグメントまたはストリップ。
【請求項８】
前記端部領域（８）内のリブ（６）が上部斜面（１５）を有し、また随意に正面斜面（１６）を有し、前記上部面（１５）および／または正面（１６）はいずれの場合にも前記上部平面（１７）から下方に、前記正面側（３，４）から遠ざかって前記リブ（６）の方向に傾斜することを特徴とし、前記上部斜面（１５）が前記カバー面（１１）と連続している、および／または前記正面斜面（１６）が前記正面側（３，４）と連続していることを特徴とする請求項７に記載のセグメントまたはストリップ。
【請求項９】
前記リブ（６）の長手方向範囲（２９）の方向に直交するように通り、且つ少なくとも２つの側方斜面（１４）を通る仮想断層面（２８）が、断層直線部（３１）に沿った前記側方斜面（１４）にそれぞれ交差し、側方直線部（３３）に沿って前記側方平面（１８）それぞれに交差し、また上部直線部（３２）に沿って前記上部平面（１７）に交差することを特徴とし、前記上部直線部（３２）と前記断層直線部（３１）が上部傾斜角（α）をなし、前記側方直線部（３３）と前記断層直線部（３１）が下部傾斜角（β）をなし、前記傾斜角（α，β）は９０°より大きく且つ１８０°より小さく、特に１１５°から１７５°の間、特に好ましくは１３０°から１６０°の間であることを特徴とする請求項７または８に記載のセグメントまたはストリップ。
【請求項１０】
前記斜面（１４，１５，１６）は、１つの隅によって少なくとも１つの共通の接点（２６）において互いに接触する、および／または１つの隅または縁によって少なくとも１つの接触縁（２７）に接触することを特徴とする請求項７乃至９のいずれか一項に記載のセグメントまたはストリップ。
【請求項１１】
前記接点（２６）または前記接触縁（２７）は前記正面側（３，４）および／または前記上部平面（１７）から離隔していることを特徴とする請求項１０に記載のセグメントまたはストリップ。
【請求項１２】
前記接点（２６）または前記接触縁（２７）は、前記側方平面（１８）の間の中心に来るように配置されることを特徴とする請求項１０または１１に記載のセグメントまたはストリップ。
【請求項１３】
前記斜面（１４，１５，１６）は平坦および／または湾曲していることを特徴とする請求項７乃至１２のいずれか一項に記載のセグメントまたはストリップ。
【請求項１４】
正面側（３，４）の領域内の前記リブ（６）の前記縁および／または隅はアール状および／または面取りを施してあることを特徴とする請求項１乃至１３のいずれか一項に記載のセグメントまたはストリップ。
【請求項１５】
搬送設備のセグメント（１）であって、セグメント（１）に隣接する１つのセグメント（１）に面する少なくとも１つの正面側（３，４）と、搬送方向（７）において前記セグメント（１）の上側（５）に通る互いに平行なリブ（６）を有し、請求項３乃至１４のいずれか一項に記載のストリップ（２）が、前記セグメント（１）の少なくとも１つの正面側（３，４）の領域に、好ましくは解除可能に配置されていることを特徴とするセグメント。
【請求項１６】
前記セグメント（１）および／または前記ストリップ（２）はプラスチック材料製または金属製であることを特徴とする請求項１乃至１５のいずれか一項に記載のセグメントまたはストリップ。
【請求項１７】
人または物体を移送するための搬送設備であって、セグメント（１）を有し、前記セグメント（１）が、前記セグメント（１）に隣接する１つのセグメント（１）に面する少なくとも１つの正面側（３，４）と、搬送方向（７）において前記セグメント（１）の上側（５）に通る互いに平行なリブ（６）を有し、少なくとも１つのセグメント（１）が請求項１乃至１６のいずれか一項に記載のように具現化されていることを特徴とする搬送設備。
【発明の詳細な説明】
【技術分野】
【０００１】
本発明は、搬送設備のセグメントに関し、セグメントに隣接する１つのセグメントに面した少なくとも１つの正面側を有し、また、搬送方向においてセグメントの上側に延在する互いに平行なリブを有する。
【０００２】
本発明はさらに、搬送設備のセグメント用のストリップに関し、セグメントに隣接する１つのセグメントに面した１つの正面側を有し、また、後側と、搬送方向においてストリップの上側に延在する互いに平行なリブを有する。
【０００３】
本発明はさらに、少なくとも１つのそのようなストリップを有する搬送設備のセグメントに関し、また、本発明による少なくとも１つのセグメントを有する搬送設備に関する。
【背景技術】
【０００４】
技術的安全性の理由から、例えば、隣り合って並んだ複数のセグメントからなる搬送ベルトなどの、人や物品を移送するための搬送設備は多くの場合、表面上に互いに平行なリブを有する構造化された表面を有する。
【０００５】
しかしながら、互いに前後して配置された複数のセグメントからなり、セグメントが直線になるように延在するばかりでなく異なるサイズの半径を有するカーブに沿って延在する搬送ベルトにおけるリブ構造は、或る種の危険を包含する。湾曲した正面側に沿って互いに連続する２つのセグメントは、カーブを通るときに互いに対して枢動するため、正面側の領域のリブは互いに横に変位する。枢動中にリブの前部の左右両端が互いに横方向に動くため、２つの隣接するリブ間に入り込んだロックまたはフィンガなどの物体にかなりのせん断力が作用し、そのようにしてセグメント間の間隙をふさぐ。物体が詰まった場合は搬送設備への損傷につながる可能性があり、人体の部分が詰まった場合はひどい怪我を引き起こし得る。
【発明の概要】
【発明が解決しようとする課題】
【０００６】
したがって本発明は、それによって上述の問題が可能な限り回避され得るような、最初に言及した汎用タイプのセグメント、ストリップまたは搬送設備を利用可能にするという目的に基づいている。
【課題を解決するための手段】
【０００７】
この目的は、本発明により、それぞれ請求項１、２、１３または１５の特徴を有する１つのセグメント、１つのストリップ、少なくとも１つのストリップを有する１つのセグメントおよび搬送設備によって達成される。
【０００８】
本発明の好ましく有利な実施形態は従属請求項の主題である。
【０００９】
本発明により正面側の端部領域内のリブは斜切されている。
【００１０】
本発明に従って斜切されたリブの端部領域により、隣接するリブの間に詰まった物体に作用する力は上方に向かう成分を有し、そのため、物体はリブ間の領域からそれぞれ上方に絞られるか押し上げられ、搬送設備には損傷は全く起こらず、または、人または動物への損傷も起こり得ない。
【００１１】
本発明の文脈において、側方平面内の隣接するリブに面する側面のリブは上部平面内の上向きのカバー面と、端部領域に配置された少なくとも２つの側方斜面を有することがもたらされる。本明細書での斜面は好ましくはいずれの場合にも、１つの側方平面から離れるように同じリブの他の側方平面の方向に傾斜する、および／または正面側から離れるようにリブの方向に傾斜する。
【００１２】
正面側の領域に配置され、カバー面と側面に対して実質的に垂直な正面をリブが有することが特に好ましい。
【００１３】
本発明の一実施形態によれば、端部領域内のリブは、上部平面から離れるように下方に、正面側から離れるように傾斜する上部斜面を有し、上部斜面はカバー面と連続している。
【００１４】
本発明による１つの別の実施形態では、端部領域のリブは、正面側から離れる方向に傾斜し上部平面から下方に傾斜する正面斜面を有し、正面斜面は正面側と連続し、随意で正面と連続している。
【００１５】
同様に、本発明の文脈において、端部領域のリブが２つの、または３つ以上の連続した側方斜面を有する、および／または、上部斜面に連続しているさらなる斜面、および／または正面斜面に連続したさらなる正面斜面を有することも想定される。
【００１６】
こうして正面側からリブへの段階的な移行が有利に達成され得る。
【００１７】
本発明の一実施形態において、斜面は湾曲しており、本発明の文脈における湾曲した斜面は、互いに隣接して配置され互いに少し傾斜した複数のそれぞれ或る程度小さいまたは狭い平坦な斜面と考えられ得る。
【００１８】
特に端部領域におけるリブの縁または隅はそれぞれアール状および／または面取りまたは斜切状であってよく、リブの縁は、直線状および／または湾曲して延在してよい。これは、鋭利な縁や隅を回避するように働き、これはさらに損傷または損害のリスクを最小化する。
【００１９】
リブの長手方向範囲の方向に直交し且つ少なくとも２つの側方斜面を通る仮想断層面が、断層直線部に沿った側方斜面それぞれに交差し、側方直線部に沿って側方平面それぞれに交差し、上部直線部に沿って上部平面に交差し、本明細書の上部直線部と断層直線部が上部傾斜角をなし、側方直線部と断層直線部が下部傾斜角をなす場合、本発明の１つの特に好ましい実施形態における傾斜角それぞれはしたがって９０°より大きく１８０°より小さい。
【００２０】
各傾斜角が１０５°〜１６５°の間であれば特に有利であり、１２０°〜１５０°の間であればより有利である。２つの傾斜角の和は常に２７０°となるため、傾斜角は可能な限り鈍角となるように具現化される。そのため、斜面は傾斜を有し、それによってリブ間にある物体が、前記物体に過度のせん断力が作用することなく、特に有利に上方に偏向され得る。
【００２１】
１つの好ましい実施形態において、セグメントに隣接する１つのセグメントに面した少なくとも１つの正面側を有し、また、搬送方向においてセグメントの上側に延在する互いに平行なリブを有する搬送設備のセグメントは、本発明による少なくとも１つのストリップを有し、ストリップは、好ましくは解除可能に、セグメントの少なくとも１つの正面側の領域に、例えば螺合されて配置される。
【００２２】
ストリップが正面側の上縁に沿って延在すれば、または前記上縁に置き換わって延在すれば特に好ましい。
【００２３】
解除可能に組み立てられたストリップの場合、前記ストリップは、損傷を受けたり磨耗した場合に容易に交換でき、または、必要に応じ別様式で斜切されたリブを備えたストリップと置き換えできる。そのようなセグメントのストリップはさらに、そのセグメントとは別の材料、例えば、よりコスト効率の良い材料および／または他の特性を有する、特に、より軟質またはより硬質の材料から製造され得る。
【００２４】
１つの特に好ましい実施形態において、ストリップは、ストリップの表面がセグメントの表面と合同して平面を形成し、ストップのリブがセグメントのリブと厳密に整列するようにセグメント内に一体化されている。
【００２５】
ストリップの正面側は好ましくは、セグメントの正面側と面状となるように終端する。しかしながら、１つの別の実施形態において、ストリップは正面側から突出してもよい。そのため、ストリップ下方のより大きな間隙がセグメント間に形成され、小型の緩い（ｌｏｏｓｅ）物体は、ストリップの間に捉えられたときに、それぞれ、搬送設備の下に落ちるか、または搬送設備から下方に降下する可能性がある。
【００２６】
既に説明したように、ストリップがセグメントの両正面に配置されていれば特に好ましい。
【００２７】
本発明のさらなる詳細、特徴および利点は、添付の図面を参照した本明細書の説明から導き出されるが、添付図面には、特許保護の範囲を限定しない好ましい実施形態が図示される。
【図面の簡単な説明】
【００２８】
【図１】本発明による、ストリップを有するセグメントの等角図である。
【図２】ストリップを有するセグメントの詳細ＩＩの等角図である。
【図３】リブの端部領域の一実施形態の不等角投影図である。
【図４】リブの端部領域のさらなる実施形態の不等角投影図である。
【図５】上部斜面を有するリブの端部領域の一実施形態の不等角投影図である。
【図６】上部斜面と正面斜面を有するリブの端部領域の一実施形態の不等角投影図である。
【図７】２つの隣接するストリップの一部の等角図である。
【図８】リブの端部領域の３つのさらなる実施形態の不等角投影図である。
【発明を実施するための形態】
【００２９】
図１は、本発明に記載のストリップ２を有する本発明によるセグメント１の模式図を示し、前記ストリップ２は、セグメントの前方正面側３と後方正面側４に沿って配置されている。搬送方向７において互いに平行となるように延在するリブ６がセグメント１とストリップ２の上側５に配置されている。動作時に、正面側３、４はそれぞれ、隣接するセグメントに面する、または、隣接するセグメントの正面側に面する（隣接するセグメントは図示せず）。
【００３０】
搬送方向７で見た場合に前方に配置されているストリップ２は、セグメント１から離れる方に向いた凸湾した正面側３と、セグメント１のほうを向いた凹湾した後側１０を有する。搬送方向７で見た場合に後方に配置されたストリップ２は、セグメント１から離れる方に向いた凹湾した正面側４と、セグメント１のほうに向いた凸湾した後側１０を有する。
ストリップの正面側３、４は、セグメントの正面側３、４に対して平面となるように終端する。
【００３１】
ストリップ２のリブ６は、各リブ６が実質的に連続し、前方正面側３から後方正面側４にかけて段差または段状部がなく延在するように、形状、位置合わせおよび位置に関して好ましくはセグメント１のリブ６と厳密に一致する。
【００３２】
コンベヤベルトを有し、実質的に連続したセグメント１の整列からなり、ここでセグメント１は互いに接続され、同一でないサイズの半径を有する曲線を通過できる搬送設備が、例えば国際公開第２０１２／０９７３９０号に説明されている。本発明により、これらのセグメントが本出願に記載のように具現化される。
【００３３】
搬送設備のセグメント１は例えば、オーストリア特許出願第Ａ７２０／２０１５号に記載のように互いに接続されてもよく、または、搬送設備、または搬送設備のセグメント１はそれぞれ、例えば、オーストリア特許出願第Ａ３９６／２０１５号に記載のように駆動されてよい。
【００３４】
図２は、前方正面側３の領域にリブ６の端部領域８を有する、図１からの前方正面側３の詳細を示す。リブ６は、端部領域８に隣接する様式で、必須ではないが好ましくは長方形の断面９を有する。
【００３５】
図３乃至６は、リブ６の端部領域８の異なる実施形態を詳細に示し、全てのリブ６は、必須ではないが好ましくは同一の様式で具現化される。
【００３６】
本発明に記載のセグメント１の図示されたリブ６、または本発明によるストリップ２のリブ６は、その上に、移送する人または物品がそれぞれ立つかまたは載ることができる上向きのカバー面１１と、隣接するリブ６に面する２つの側面１２と、随意で正面側３，４の正面１３を有する。
【００３７】
図３乃至６の実施形態のリブ６はさらに、２つの側方斜面１４と、図５および６の上部斜面１５と、図６の正面斜面１６を有する。
【００３８】
カバー面１１は上部平面１７内に配置され、側面１２は側方平面１８に配置されている。前平面１９は正面側３，４に配置され、前記前平面１９は上部平面１７に直交するように配置され、正面側３，４の曲率によって、側方平面１８に実質的に直交するように配置される。正面１３が存在する場合、前記正面１３は前平面１９内に配置される。リブ６は底平面２１から上方に突出し、底面２２が底平面２１内のリブ６の間に配置されている。
【００３９】
カバー面１１と対応する側面１２との間に側方上縁２３が形成され、側面１２と底面２２の間に側方下縁２４が形成されている。図３乃至５の実施形態ではさらに正面１３と側面１２それぞれの間に側前方縁２５が形成されている。
【００４０】
側方斜面１４は、接点２６において、いずれの場合にも１つの隅によって互いに接するか、またはいずれの場合にもそれぞれ１つの隅によって接触直線部２７の境界を決め、接点２６または接線（ｃｏｎｔａｃｔ  ｓｔｒａｉｇｈｔ）２７もそれぞれ、カバー面１１（図３および４）または上部斜面１５（図５および６）の隅または側縁によって、および／または随意に正面１３（図３，４および５）によって、および／または正面斜面１６（図６）によって接触される。
【００４１】
説明した面の配置に関するさらなる変更またはその他の組み合わせはそれぞれ、本発明の文脈において当然可能である。
【００４２】
仮想断層面２８は、リブ６の長手方向範囲２９に直交するように延在し、側方斜面１４を通して延在し、側方斜面１４にいずれの場合にも１つの断層直線部３１に沿って交差するように配置されている。断層面２８はさらに上部平面１７または上部斜面１５に、上部直線部３２に沿って交差し、側方平面１８にいずれの場合にも１つの側方直線部３３に沿って交差する。
【００４３】
断層面２８内のリブ６は、より良く視覚化するために図３乃至６では斜交平行模様で示された断層断面３４を有する。
【００４４】
仮想断層面２８内の断層直線部３１それぞれは、上部直線部３２と合同して、上方傾斜角αをなし、また、関連する側方直線部３３と合同して下部傾斜角βをなす。傾斜角α、βはいずれの場合にも９０°より大きく１８０°より小さい。
【００４５】
図３は、正面１３と接点２６を有する、リブ６の端部領域８の、本発明による一実施形態を示す。
【００４６】
上部平面１７は前平面１９に仮想前方直線部３５に沿って交差し、接点２６は、側方平面１８間の中心となるように前記仮想前方直線部３５に配置されている。正面１３とカバー面１１は接点２６まで先細りとなり、側方斜面１４の隅も、いずれの場合にも前記接点２６に配置されている。
【００４７】
この実施形態において、上部傾斜角αは約１４０°であり、下部傾斜角βは約１３０°である。
【００４８】
図４は、正面１３と接触縁２７を有するリブ６の端部領域８の、本発明による別の実施形態を示す。
【００４９】
正面１３とカバー面１１は、側方平面１８間の中心となるように前記仮想前方直線部３５に配置された接触縁２７まで先細りとなっている。側方斜面１４はいずれの場合にも１つの隅によって接触縁２７の端部に当接する。
【００５０】
上部傾斜角αならびに下部傾斜角βの両方はこの実施形態において約１３５°である。
【００５１】
図５は、正面１３ａ、接点２６および上部斜面１５を有する、リブ６の端部領域８の、本発明によるさらなる実施形態を示す。
【００５２】
カバー面１１は、カバー面１１と上部斜面１５の間にある後方上縁３６で終端し、上部斜面１５は、上部平面１７から、上部傾斜角γで下方に傾斜している。
【００５３】
正面１３と上部斜面１５は接点２６まで先細りとなり、側方斜面１４の一隅も、いずれの場合にも前記接点２６に配置されている。接点２６は側方平面１８間の中心に来るようにそれぞれ前平面１９または正面１３に配置され、上部平面１７から離隔している。
【００５４】
この実施形態において、上部傾斜角αは約１５０°であり、下部傾斜角βは約１２０°である。
【００５５】
図６は、上部斜面１５、正面斜面１６および前記面１５，１６の間の接触縁２７を有する、リブ６の端部領域８の、本発明によるさらなる実施形態を示す。
【００５６】
仮想前平面１９は、底直線部３７に沿って底平面２１に交差し、前平面１９までの端部領域８内のリブ６は、底直線部３７にある前方下方縁３８にかけてさらに低くなる。
【００５７】
上部斜面１５は後方上縁３６から接触縁２７まで先細りになり、上部平面１７から上部傾斜角γで下方に傾斜している。正面斜面１６は前方下縁３８から接触縁２７まで先細りとなり、下部傾斜角δで仮想前平面１９から離れる方向に傾斜している。
【００５８】
接触縁２７は側方平面１８間の中心となるように配置され、上部平面１７と前平面１９から離隔しており、仮想前方直線部３５に平行になるように配置されている。
【００５９】
この実施形態において、上部傾斜角αは約１４０°であり、下部傾斜角βは約１３０°である。
【００６０】
図７は、２つの隣接するセグメント１の本発明による２つの互いに対向するストリップ２を示す。リブ６の端部領域８の、示された設計の実施形態は、図３に詳細に示す特に好ましい実施形態に対応する。
【００６１】
図７で左側に描写したストリップ２の前方正面側３は凸湾しており、図７で右側に描写したストリップ２の後方正面側４は、前方正面側３に対応するように凹湾している。
【００６２】
本発明の１つの特に好ましい実施形態において、各リブ６は、例えば４ｍｍの半幅Ｂを有し、これは、リブ６の２つの側方平面１８間の距離の半分に対応し、例えば、既存の法定仕様によって既定されたものである。
【００６３】
側前方縁２５の高さＺは好ましくは２ｍｍ未満であり、リブ高さから高さＺを引いたものに対応する前方高さＨは好ましくは半幅Ｂの１．５倍より小さく、従って好ましくは例えば５ｍｍ未満である。
【００６４】
製造に関連する理由により、または隣接するセグメントの接続における機械的な遊びにより、隣接するストリップ２またはセグメント１それぞれの正面側３と４の間に間隙幅Ｄを有する間隙がある。間隙幅Ｄは可能な限り小さいことが好ましく、例えば２ｍｍである。
【００６５】
端部領域８の長さＬ、したがって側方斜面１４の長さも、好ましくは半幅Ｂの長さの２．５〜５倍であり、例えば１１〜１６ｍｍである。
【００６６】
図８は、リブ６の端部領域８の、本発明による３つのさらなる実施形態を示す。
【００６７】
図８の中央部に示した実施形態は２つの側方斜面１４を有し、側方斜面１４は、対応する側方平面１８から遠ざかって同じリブ６の他方の側方平面１８の方向に傾斜するが、正面側３，４から遠ざかってリブ６の方向に傾斜することはない。
【００６８】
図８の右および左に示した実施形態は、円セグメントの形態の、湾曲斜面１４，１５と正面１３を有する。
【００６９】
湾曲斜面１４，１５は、互いに隣接して配置された、狭くなるように具現化されたいくつかの側方および上部斜面１４，１５であると考慮されることもできるため、これらの実施形態も同様に、本発明の文脈においてリブ６の端部領域８の斜切部を提示する。
【符号の説明】
【００７０】
１  セグメント
２  ストリップ
３  前方正面側
４  後方正面側
５  上側
６  リブ
７  搬送方向
８  端部領域
９  交差部
１０  後側
１１  カバー面
１２  側面
１３  正面
１４  側方斜面
１５  上部斜面
１６  正面斜面
１７  上部平面
１８  側方平面
１９  前平面
２０  −−−
２１  底平面
２２  底面
２３  側方上縁
２４  側方下縁
２５  側前方縁
２６  接点
２７  接触縁
２８  断層面
２９  長手方向範囲
３０  −−−
３１  断層直線部
３２  上部直線部
３３  側方直線部
３４  断層断面
３５  前方直線部
３６  後方上縁
３７  底直線部
３８  前方下縁
α  上部傾斜角
β  下部傾斜角
γ  上部傾斜角
δ  下部傾斜角
Ｂ  半幅
Ｚ  高さ
Ｈ  前方高さ
Ｄ  間隙幅
Ｌ  長さ
【図１】
2019533626.tif 000003
【図２】
2019533626.tif 000004
【図３】
2019533626.tif 000005
【図４】
2019533626.tif 000006
【図５】
2019533626.tif 000007
【図６】
2019533626.tif 000008
【図７】
2019533626.tif 000009
【図８】
2019533626.tif 000010
【国際調査報告】
2019533626.tif 000011
2019533626.tif 000012
2019533626.tif 000013
2019533626.tif 000014
2019533626.tif 000015
2019533626.tif 000016
2019533626.tif 000017
2019533626.tif 000018
2019533626.tif 000019
2019533626.tif 000020
2019533626.tif 000021